(57)【特許請求の範囲】
【請求項１】
建築物の駆体に鋼製の支持部材を介してマリオンを固定し、そのマリオンに取付けた無目にパネルやガラス等の外装材を取付けて構成されるカーテンウォールにおいて、上記マリオンに鋼製ブラケットを取付け、その鋼製ブラケットを上記支持部材と連結し、鋼製ブラケットには、建築物に沿って立設される作業足場に連結された連結控え水平支持部材を保持するための鋼製の足場控え保持部材を連結して、足場控え保持部材から駆体に到る間をこれらの鋼製部材により結合し、足場控え保持部材の一方の端面を外装材の前面と略同一面に配置してあることを特徴とするカーテンウォール。
【請求項２】
建築物の駆体に鋼製の支持部材を介してマリオンを固定し、そのマリオンに取付けた無目にパネルやガラス等の外装材を取付けて構成されるカーテンウォールにおいて、上記マリオンに鋼製ブラケットを取付け、その鋼製ブラケットを上記支持部材と連結し、鋼製ブラケットには、無目の後側壁面を当接させる鋼製の無目保持部材が連結されており、建築物に沿って立設される作業足場に連結された連結控え水平支持部材を保持するための鋼製の足場控え保持部材に一体に設けた鋼製の結合部によって、無目と無目保持部材とを一体に結合させると共に、足場控え保持部材の一方の端面を外装材の前面と略同一面に配置してあることを特徴とするカーテンウォール。
【請求項３】
無目には外装材の前面と略同一面となる前側壁面が長手方向に形成され、その前側壁面に設けた貫通孔内に配置される足場控え保持部材と前記貫通孔との隙間をシール部材で覆ってあることを特徴とする請求項２記載のカーテンウォール。
【発明の詳細な説明】
【０００１】
【発明の属する技術分野】
本発明は、建築物の駆体に鋼製の支持部材を介してマリオンを固定し、そのマリオンに取付けた無目にパネルやガラス等の外装材を取付けて構成されるカーテンウォールに関する。
【０００２】
【従来の技術】
従来、上記したカーテンウォールは、建築物に沿って立設される作業足場を利用して建築物の外壁側に設置される。その作業足場は立設時に倒壊の危険性があるために、特許第２５４９０５３号公報に記載されたカーテンウォールのように、建築物の駆体に固定されるパネル支持構造体の一つ、具体的には横材に、ナット部材（ファスナ連結手段）を設け、そのナット部材に作業足場に連結された足場支持ボルト（第２ファスナ）を連結することで、作業足場の倒れ防止を図っているものが知られている。
【０００３】
【発明が解決しようとする課題】
ところが、上記ナット部材は、外装材の１つである小パネルの設置部に対応させて設けられているために、ナット部材に足場支持ボルトを連結してあると、外装材を小パネルの設置部以外の個所にしか取付けることができず、作業足場を上方から順次解体しつつ、ナット部材から足場支持ボルトを取り外した時に、小パネルを取付けるようになっている。また、カーテンウォールのメンテナンスを行う場合、再び作業足場を立設させることから、作業足場を上方へ順次組み立てると共に、小パネルを取り外さなければならない煩わしさがあった。更に、取り外した小パネルを作業の邪魔にならない位置に移動させなければならない煩わしさがあった。そこで、本発明の課題は、作業足場の倒れ防止を図ると共に、作業足場の立設及び撤去を容易に行えるようにしたカーテンウォールを提供することにある。
【０００４】
【課題を解決するための手段】
上記課題解決のために、本願は、建築物の駆体に鋼製の支持部材を介してマリオンを固定し、そのマリオンに取付けた無目にパネルやガラス等の外装材を取付けて構成されるカーテンウォールにおいて、上記マリオンに鋼製ブラケットを取付け、その鋼製ブラケットを上記支持部材と連結し、鋼製ブラケットには、建築物に沿って立設される作業足場に連結された連結控え水平支持部材を保持するための鋼製の足場控え保持部材を連結して、足場控え保持部材から駆体に到る間をこれらの鋼製部材により結合し、足場控え保持部材の一方の端面を外装材の前面と略同一面に配置した。
【０００５】
具体的に、建築物の駆体に鋼製の支持部材を介してマリオンを固定し、そのマリオンに取付けた無目にパネルやガラス等の外装材を取付けて構成されるカーテンウォールにおいて、上記マリオンに鋼製ブラケットを取付け、その鋼製ブラケットを上記支持部材と連結し、鋼製ブラケットには、無目の後側壁面を当接させる鋼製の無目保持部材が連結されており、建築物に沿って立設される作業足場に連結された連結控え水平支持部材を保持するための鋼製の足場控え保持部材に一体に設けた鋼製の結合部によって、無目と無目保持部材とを一体に結合させると共に、足場控え保持部材の一方の端面を外装材の前面と略同一面に配置した。前記無目には外装材の前面と略同一面となる前側壁面が長手方向に形成され、その前側壁面に設けた貫通孔内に配置される足場控え保持部材と前記貫通孔との隙間をシール部材で覆った。
【０００６】
【発明の実施の形態】
実施の形態について図面を参照して説明する。図１〜３に示すように、カーテンウォール１は、建築物の駆体２に鋼製の支持部材３を介して固定されたマリオン４に無目５が取付けられ、その無目５にパネルやガラス等の外装材６を取付けて構成されたものである。具体的に説明する。アルミ材等から成るマリオン４には、図２〜３に示すように、長手方向に貫通した貫通部４ａが設けられている。その貫通部４ａには、断面が略コ字状に形成された鋼製ブラケット７が複数挿入されている。各鋼製ブラケット７は、建築物の駆体２に固定された支持部材３の近くに配置され、ボルト８によってマリオン４と共に支持部材３に連結されている。支持部材３に固定されたマリオン４の左右側面４ｂには、後述する無目５の後側壁面５ａを当接させる鋼製の無目保持部材９が複数配置されている。鋼製ブラケット７の近くに配置された無目保持部材９ａ，９ｂは、ボルト１０によってマリオン４を挟んで鋼製ブラケット７に連結され、その他の無目保持部材９ｃは、ボルト１１によってマリオン４の側面４ｂに取付けられている。
【０００７】
アルミ材等から成る無目５には、外装材６の前面と略同一面となる前側壁面５ｂが長手方向に形成されている。そして、前記鋼製ブラケット７に連結された一方の無目保持部材９ａに当接させる無目５の前側壁面５ｂには、貫通孔１２が設けてある。その貫通孔１２内に、建築物に沿って立設される作業足場３０に取付具（図示しない）により連結された連結控え水平支持部材（本実施形態では足場支持ボルトとする）３１を保持するための鋼製の足場控え保持部材１３が配置されている。その足場控え保持部材１３の一方の端面を外装材６の前面と略同一面に配置してあり、端面側には前記足場支持ボルト３１をねじ込むための雌ネジ部１３ａが形成されている。また、足場控え保持部材１３と前記貫通孔１２との隙間をシール部材１４で塞ぎ、貫通孔１２を通って雨水等の無目内部への侵入防止を図っている。前記取付具（図示しない）は、足場支持ボルト３１を保持する位置を調節できるように構成されたものである。
【０００８】
前記足場控え保持部材１３には、鋼製の結合部１３ｂ（結合ネジ軸）が一体に設けられている。貫通孔１２が設けてある無目５にはナット部材１５が備えてある。無目５の後側壁面５ａ及び無目保持部材９ａを貫通する前記結合部１３ｂの端部に、ナット部材１６を取付け、ナット部材１５とナット部材１６によって、無目５と無目保持部材９ａとを一体に結合させている。そして、足場控え保持部材１３が設置されない無目５は、無目５に備えられたボルト１７とナット部材１８によって無目保持部材９ｂ，９ｃに取付けられている。よって、足場控え保持部材１３は、鋼製の支持部材３、鋼製ブラケット７、鋼製の無目保持部材９ａ、鋼製の結合部１３ｂを介して駆体２に連結されている。尚、本実施形態では、図３〜４に示すように、足場控え保持部材１３をマリオン４の右側に設置した無目保持部材９ａに取付けてあるが、マリオン４の左側に設置した無目保持部材９ｂに取付けてもよい。
【０００９】
次に、上記のように構成されるカーテンウォール１を建築物の外壁側に設置する手順について説明する。先ず、建築物の外壁側に作業足場３０を立設する。下側作業足場３０ａを設置し、駆体２に打ち込んだアンカー３２に、作業足場３０ａに取付具（図示しない）により連結された足場支持ボルト３１をねじ込む。次に、作業足場３０ａの上部に上側作業足場３０ｂを設置し、駆体２に打ち込んだアンカー３２に、作業足場３０ｂに取付具（図示しない）により連結された足場支持ボルト３１をねじ込む。このことを繰り返し、倒れ防止を図りながら作業足場３０を立設する（図５）。
【００１０】
前記作業足場３０を利用して、駆体２に鋼製の支持部材３が固定される。マリオン４には複数の鋼製ブラケット７が取付けられ、各鋼製ブラケット７は、ボルト８によってマリオン４と共に支持部材３に連結される。マリオン４の左右側面４ｂには，鋼製の無目保持部材９が複数設置され、前記鋼製ブラケット７の近くに設置された無目保持部材９ａ，９ｂは、ボルト１０によってマリオン４を挟んで鋼製ブラケット７に連結される。その他の無目保持部材９ｃは、ボルト１１によってマリオン４の側面４ｂに取付けられる。その後、鋼製ブラケット７に連結された一方の無目保持部材９ａには、鋼製の足場控え保持部材１３に一体に設けた鋼製の結合部１３ｂによって、貫通孔１２を設けた無目５が結合される。その他の無目保持部材９ｂ，９ｃには、ボルト１７によって貫通孔１２を設けてない無目５が取付けられる。
【００１１】
各無目５がマリオン４に取付けられると、地面に近い位置にある駆体２と作業足場３０とを連結している足場支持ボルト３１をアンカー３２から取り外すと共に、取付具（図示しない）を作業足場３０から取り外す。そして、取付具（図示しない）を足場控え保持部材１３に対応した位置に取り付けた後、取付具（図示しない）からの突出し長さを調節した足場支持ボルト３１を足場控え保持部材１３にねじ込む。同様の作業を最上部にある足場支持ボルト３１まで順次行う。各足場控え保持部材１３は、鋼製の結合部１３ｂ，鋼製の無目保持部材９，鋼製ブラケット７及び鋼製の支持部材３を介して駆体２に連結されているから、足場控え保持部材１３に足場支持ボルト３１をねじ込むことで、作業足場３０の倒れ防止が図られる。その後、足場控え保持部材１３が外装材６の取付けに影響しない位置に配置されていることから、各足場控え保持部材１３に各足場支持ボルト３１を保持させた状態のまま、全ての無目５に外装材６が取付けられ、カーテンウォール１が建築物の外壁側に設置される（図１）。そして、作業足場３０の撤去作業が行われ、作業足場３０は上方から順次解体される。
【００１２】
上記したカーテンウォール１では、作業足場３０に連結された足場支持ボルト３１を、鋼製部材３，７，９，１３ｂを介して駆体２に結合された鋼製の足場控え保持部材１３に保持させることで、作業足場３０の倒れ防止が容易に図れる。そして、足場控え保持部材１３を無目５に設けた貫通孔１２内に配置し、その足場控え保持部材１３に一体に設けた結合部１３ｂによって、無目５と無目保持部材９とを一体に結合させるようにしたので、従来のように、足場支持ボルトをナット部材に連結させる毎に、小パネル取り外し、その小パネルを作業の邪魔にならない位置に移動させるようなことをしなくてもよい。更に、足場控え保持部材１３の一方の端面を外装材６の前面と略同一面に配置してあることから、足場控え保持部材１３に足場支持ボルト３１を保持させた状態のまま、外装材６の取付け取り外しが行えるから、作業足場の撤去時には、外装材６を取付けながら作業足場３０を順次解体するという危険な同時作業を行う必要がない。そして、カーテンウォール１のメンテナンス等による作業足場３０の立設時には、外装材６を取り外さなくてもよく、速やかに作業足場３０が立設できる。
【００１３】
尚、本実施形態では、マリオン４に設けた貫通部４ａに鋼製ブラケット７を取付けて説明したが、図６〜８に示すように、断面が略Ｔ字状に形成されたマリオン４０であって、そのマリオン４０の左右側面４０ａに、マリオン４０の細部４０ｂから基部４０ｃに沿うように階段状に形成された鋼製ブラケット４１を取付けるようにしてもよい。その場合には、建築物の駆体２に固定された鋼製の支持部材３にボルト４２によって鋼製の保持ブラケット４３が連結されており、その保持ブラケット４３に、マリオン４０と共に鋼製ブラケット４１がボルト８ａによって連結される。
【００１４】
鋼製ブラケット４１は、マリオン４０の細部４０ｂ側に配置される足場控え保持部材取付部４１ａの上下幅を、マリオン４０の基部４０ｃ側に配置される取付部４１ｂの上下幅に対して狭くしてある。そして、左右の鋼製ブラケット４０の足場控え保持部材取付部４１ａ間に、鋼製の足場控え保持部材４４がボルト４５によって連結してある。マリオン４０の前面４０ｄから駆体２に向けて孔４６が設けてあり、その孔４６内に、前記足場控え保持部材４４が配置されている。その足場控え保持部材４４の一方の端面を外装材６の前面と略同一面に配置してあり、端面側には上記した足場支持ボルト３１をねじ込むための雌ネジ部４４ａが形成されている。また、足場控え保持部材４４と前記孔４６との隙間をシール部材４７で塞ぎ、孔４６を通って雨水等のマリオン４０内部への侵入防止を図っている。
【００１５】
【発明の効果】
以上のように本発明は、鋼製部材を介して駆体に連結された足場控え保持部材に、作業足場に連結された連結控え水平支持部材を保持させることで、作業足場の倒れ防止が図れる。そして、前記足場控え保持部材の一方の端面を外装材の前面と略同一面に配置したことで、作業足場に連結された連結控え水平支持部材を保持させた状態のまま、外装材の取付け取り外しができるために、カーテンウォールの設置後、作業足場の立設及び撤去が容易に行える。
【図面の簡単な説明】
【図１】本発明のカーテンウォールを示す図である。
【図２】図１のＩＩ−ＩＩ線断面図である。
【図３】図２のＩＩＩ−ＩＩＩ線断面図である。
【図４】図３のＩＶ視であって、足場控え保持部材を省略した図である。
【図５】建築物の外壁側に作業足場を立設させる参考図である。
【図６】他の実施形態を示す図である。
【図７】図６のＶＩＩ−ＶＩＩ線断面図である。
【図８】図７のＶＩＩＩ視であって、足場控え保持部材を省略した図である。
【符号の説明】
１        カーテンウォール
２        駆体
３        支持部材
４        マリオン
５        無目
５ａ      後側壁面
５ｂ      前側壁面
６        外装材
７        鋼製ブラケット
９        無目保持部材
１２        貫通孔
１３        足場控え保持部材
１３ｂ      結合部
１４        シール部材
３０        作業足場
３１        足場支持ボルト
【図１】
0003882621.tif 000002
【図２】
0003882621.tif 000003
【図３】
0003882621.tif 000004
【図４】
0003882621.tif 000005
【図５】
0003882621.tif 000006
【図６】
0003882621.tif 000007
【図７】
0003882621.tif 000008
【図８】
0003882621.tif 000009